(57)【要約】【課題】  室内の壁面に沿った形できれいに設置することが容易な空気調和装置の室内機を提供する。【解決手段】  室内機２は、室内熱交換器５０と、室内補助冷媒配管５１ａ，５１ｂと、ドレンホース８５と、配管収容空間Ｓ１とを備えている。室内熱交換器５０は、接触する空気と熱交換する。室内補助冷媒配管５１ａ，５１ｂは、室内熱交換器５０に冷媒を供給する。ドレンホース８５は、室内熱交換器５０において発生するドレン水を排出する。配管収容空間Ｓ１は、室内機２の背面側に形成され、室内補助冷媒配管５１ａ，５１ｂとドレンホース８５とが側面視において上下に配置され収納される。【選択図】      図５
2005024217.tif 000002
【特許請求の範囲】
【請求項１】
接触する空気と熱交換する熱交換器（５０）と、
前記熱交換器に冷媒を供給するための冷媒配管（５１ａ，５１ｂ）と、
前記熱交換器において発生するドレンを排出するためのドレンホース（８５）と、
背面側に形成され、前記冷媒配管と前記ドレンホースとが側面視において上下に配置され収納される収納部（Ｓ１）と、
を備える空気調和装置の室内機。
【請求項２】
前記ドレンホース（８５）は、前記冷媒配管（５１ａ，５１ｂ）の下方に配置される、
請求項１に記載の空気調和装置の室内機。
【請求項３】
前記ドレンホース（８５）は、前記ドレンの流れの上流側から下流側に向けて連続的に下向きに傾斜する、
請求項１または２に記載の空気調和装置の室内機。
【請求項４】
前記ドレンホースの傾斜状態を保持する傾斜保持部材（７５）をさらに備える、
請求項３に記載の空気調和装置の室内機。
【請求項５】
前記傾斜保持部材（７５）は、前記ドレンホースの下面を支持するリブ部（８９）を有する、
請求項４に記載の空気調和装置の室内機。
【請求項６】
前記リブ部（８９）は、前記ドレンの流れの上流側から下流側に向けて高さが低くなる複数のリブ（８９ａ〜８９ｄ）を有する、
請求項５に記載の空気調和装置の室内機。
【発明の詳細な説明】
【技術分野】
【０００１】
本発明は、空気調和装置の室内機、特に、背面側において冷媒配管とドレンホースとが室内機の左右一端から他端に延びるものに関する。
【背景技術】
【０００２】
従来から、ビルや住宅などの建物内において空気を冷やしたり暖めたりして調和し建物内の快適性を向上させる空気調和装置が広く普及している（例えば、特許文献１参照）。
【０００３】
このような空気調和装置は、室内機、室外機、冷媒配管、ドレンホースなど備えている。室内機は、空調対象の室内の天井や壁面上部に設置され、室内熱交換器や送風ファンを有している。室内熱交換器は、冷媒配管に接続され、接触する空気との間で熱交換を行う。送風ファンは、室内等から空気を取り込み室内熱交換器において熱交換された空気を室内に給気する。室外機には、圧縮機、四路切替弁、アキュームレータ、室外熱交換器などが設けられている。これらの機器により加熱または冷却された冷媒が、冷媒配管を介して室内機に供給される。冷媒配管は、冷媒を循環させるための配管である。ドレンホースは、室内熱交換器などにおいて発生するドレン（結露水）を室外に排出するためのホースである。また、冷媒配管とドレンホースとは、室内機においては、特許文献１の図１および図２に示されているように、背面側下部の側面視三角形状の空間（収納部）に主として前後にずれて正面視で重なるように収納されている。空気調和装置の室内機の設置時には、例えば設置工事者などにより、ガス管および液管を断熱材で巻いた冷媒配管およびドレンホースが、適当な位置で曲げられて室内機の背面下部の収納部に収納される。
【特許文献１】特開平１０−２４６４６２号公報
【発明の開示】
【発明が解決しようとする課題】
【０００４】
ところで、このような空気調和装置の室内機を設置する際には、冷媒配管とドレンホースとが、例えば据付施工者などにより上記の室内機の収納部に収納される。つまり、冷媒配管とドレンホースとの収納部への収納は、室内機が設置される現地において、据付施工者などにより行われている。したがって、室内機の設置環境の違いや据付施工者などの技術熟練度の差などによって、冷媒配管およびドレンホースの収納位置がばらつく可能性がある。特に、室内機の収納部と室内の壁面との間に仕切り板が設けられていない場合には、施工不良から冷媒配管やドレンホースが室内機の背端面から後方に突出するおそれがある。この場合には、室内機の背端面から突出する冷媒配管あるいはドレンホースが室内の壁面に当たることにより室内機の背面と室内の壁面との間に不要なスペースが生じ、室内の壁面に沿った形で室内機がきれいに設置されない恐れがある。
【０００５】
本発明の課題は、室内の壁面に沿った形できれいに設置することが容易な空気調和装置の室内機を提供することにある。
【課題を解決するための手段】
【０００６】
請求項１に記載の空気調和装置の室内機は、熱交換器と、冷媒配管と、ドレンホースと、収納部とを備えている。熱交換器は、接触する空気と熱交換する。冷媒配管は、熱交換器に冷媒を供給する。ドレンホースは、熱交換器において発生するドレンを排出するために設けられる。収納部は、室内機の背面側に形成される空間である。この収納部には、冷媒配管とドレンホースとが、側面視において上下に配置され収納される。
【０００７】
この室内機では、熱交換器に冷媒を供給する冷媒配管と熱交換器において発生するドレンを排出するドレンホースとが、収納部において、側面視で上下に配置され収納される。したがって、従来の空気調和装置の室内機と比べて、冷媒配管とドレンホースとの収納に必要な収納部の前後方向の長さが低減される。また、冷媒配管およびドレンホースを収納部に収納する者にとってそれぞれの高さ方向の配置が明確となるため、収納のために配管やドレンホースを曲げる作業もより適切に行われるようになる。このため、冷媒配管やドレンホースが空気調和装置の室内機の背端面から突出してしまう可能性が小さくなる。よって、この空気調和装置の室内機では、室内機背面と壁面との間に不要なスペースが生じることが少なく、壁面に沿った形できれいに設置することが容易となっている。
【０００８】
なお、冷媒配管は、通常、１本のガス冷媒配管と１本の液冷媒配管との集合体となる。
【０００９】
請求項２に記載の空気調和装置の室内機は、請求項１に記載の空気調和装置の室内機であって、ドレンホースは、冷媒配管の下方に配置される。
【００１０】
ここでは、冷媒配管の下方にドレンホースが設置される。つまり、冷媒配管およびドレンホースを収納部に収納する者が、冷媒配管とドレンホースとをどのように設置するかについて考える必要がなくなる。このため、この空気調和装置の室内機では、設計どおり室内の壁面に設置が為されるようになる。
【００１１】
なお、ドレンホースが冷媒配管の下方に配置され、且つ、冷媒配管とドレンホースとが側面視において上下に配置されるため、ドレンホースの中心は平面的に冷媒配管の垂直投影下方空間（直下空間）に位置することになる。
【００１２】
請求項３に記載の空気調和装置の室内機は、請求項１または２に記載の空気調和装置の室内機であって、ドレンホースが、ドレンの流れの上流側から下流側に向けて連続的に下向きに傾斜している。
【００１３】
ここでは、ドレンホースが連続的に下向きに傾斜しているため、ドレンがドレンホース内に溜まるような不具合が少なくなる。すなわち、ドレンの排出性が向上する。
【００１４】
請求項４に記載の空気調和装置の室内機は、請求項３に記載の空気調和装置の室内機であって、傾斜保持部材をさらに備えている。傾斜保持部材は、ドレンホースの傾斜状態を保持する。
【００１５】
ここでは、傾斜保持部材が、ドレンホースの傾斜状態を保持する。したがって、冷媒配管およびドレンホースを収納部に収納する者があまり習熟していない者であっても、ドレンホースの傾斜状態が乱れる可能性が少なくなる。このため、ドレンの排出性が確実に向上するようになる。
【００１６】
請求項５に記載の空気調和装置の室内機は、請求項４に記載の空気調和装置の室内機であって、傾斜保持部材は、リブ部を有している。リブ部は、ドレンホースの下面を支持する。
【００１７】
ここでは、傾斜保持部材が有するリブ部が、ドレンホースの下面を支持している。したがって、冷媒配管およびドレンホースを収納部に収納する者があまり習熟していない者であっても、ドレンホースの傾斜がほぼ確実に保持されるようになる。このため、この空気調和装置の室内機では、ドレンの排出性がより確実に向上するようになる。
【００１８】
請求項６に記載の空気調和装置の室内機は、請求項５に記載の空気調和装置の室内機であって、リブ部は、複数のリブを有している。複数のリブは、ドレンの流れの上流側から下流側に向けて配置され、下流側にいくほど高さが低くなる。
【００１９】
ここでは、ドレン流れの上流側から下流側に向けて高さの低まる複数のリブが、ドレンホースの傾斜を保持している。このため、冷媒配管およびドレンホースを収納部に収納する者が複数のリブの上にドレンホースを載置するだけで、ドレンホースの傾斜状態が保持されるようになる。このため、この空気調和装置の室内機では、ドレンの排出性がさらに確実に向上する。
【発明の効果】
【００２０】
請求項１に係る空気調和装置の室内機では、熱交換器に冷媒を供給する冷媒配管と熱交換器において発生するドレンを排出するドレンホースとが収納部において側面視で上下に配置されるため、冷媒配管およびドレンホースを収納部に収納する者にとってそれぞれの高さ方向の配置が明確となり、収納のために配管やドレンホースを曲げる作業がより適切に行われるようになる。このため、室内機背面と壁面との間に不要なスペースが生じることが少なくなり、壁面に沿った形できれいに室内機を設置することが容易となる。
【００２１】
請求項２に係る空気調和装置の室内機では、冷媒配管およびドレンホースを収納部に収納する者がどのように設置するかについて考える必要がなくなり、設計どおりに室内機が室内の壁面に設置されるようになる
請求項３から６のいずれかに係る空気調和装置の室内機では、ドレンホースが連続的に下向きに傾斜するため、ドレンがドレンホース内に溜まるような不具合が少なくなり、ドレンの排出性が向上する。
【発明を実施するための最良の形態】
【００２２】
＜空気調和装置の全体構成＞
本発明の一実施形態が採用された空気調和装置１の外観を図１に示す。
【００２３】
この空気調和装置１は、室内の壁面などに取り付けられる室内機２と、室外に設置される室外機３とを備えている。
【００２４】
室内機２内には室内熱交換器５０が収納され、室外機３内には室外熱交換器３０が収納されており、各熱交換器３０，５０が連絡集合管４の冷媒液配管４１および冷媒ガス配管４２（図１０参照）により接続されることにより冷媒回路を構成している。連絡集合管４は、図１０に示すように、冷媒液配管４１、液配管断熱筒４１ａ、冷媒ガス配管４２，ガス配管断熱筒４２ａ、ドレンホース８５ａ、および内外連絡電線９９を断熱テープ４ａでまとめたものである。
【００２５】
＜空気調和装置の冷媒回路の構成概略＞
空気調和装置１の冷媒回路の構成を図２に示す。この冷媒回路は、主として室内熱交換器５０、アキュームレータ３１、圧縮機３２、四路切換弁３３、室外熱交換器３０および電動膨張弁３４で構成される。
【００２６】
室内機２に設けられている室内熱交換器５０は、接触する空気との間で熱交換を行う。また、室内機２には、室内空気を吸い込んで室内熱交換器５０に通し熱交換が行われた後の空気を室内に排出するためのクロスフローファン７１が設けられている。このクロスフローファン７１は、長細い円筒形状に構成され、中心軸が水平方向に平行になるように配置されている。クロスフローファン７１は、室内機２内に設けられる室内ファンモータ７２によって回転駆動される。室内機２の詳細な構成については後に説明する。
【００２７】
室外機３には、圧縮機３２と、圧縮機３２の吐出側に接続される四路切換弁３３と、圧縮機３２の吸入側に接続されるアキュームレータ３１と、四路切換弁３３に接続された室外熱交換器３０と、室外熱交換器３０に接続された電動膨張弁３４とが設けられている。電動膨張弁３４は、フィルタ３５および液閉鎖弁３６を介して冷媒液配管４１に接続されており、この冷媒液配管４１を介して室内熱交換器５０の一端から延びる室内補助冷媒液配管５１ａと接続される。また、四路切換弁３３は、ガス閉鎖弁３７を介して冷媒ガス配管４２に接続されており、この冷媒ガス配管４２を介して室内熱交換器５０の他端から延びる室内補助冷媒ガス配管５１ｂと接続されている。また、室外機３には、室外熱交換器３０での熱交換後の空気を外部に排出するためのプロペラファン３８が設けられている。このプロペラファン３８は、室外ファンモータ３９によって回転駆動される。
【００２８】
＜室内機の構成＞
図３（ａ）に室内機２の正面図、図３（ｂ）に室内機２の側面図を示す。室内機２は、正面視に置いて横方向に長い形状を有している。
【００２９】
室内機２は、主として、上部ケーシング６、下部ユニット７および室内機２の内部に収容されている室内熱交換器ユニット５（図４参照）によって構成されている。上部ケーシング６は、室内機２の上部に配置されている。下部ユニット７は、室内機２の下部を構成している。上部ケーシング６と下部ユニット７とは別体に形成されており、上部ケーシング６と下部ユニット７の一部との境界が室内機２の外観において水平線として現れている。
【００３０】
以下、室内機２の各構成について説明する。
【００３１】
［室内熱交換器ユニット］
室内熱交換器ユニット５は、図４に示すように、室内熱交換器５０、室内補助冷媒配管５１ａ，５１ｂ、熱交換器支持部材５２等によって構成されている。なお、図４は、上部ケーシング６が取り外された状態の下部ユニット７および室内熱交換器ユニット５の外観斜視図である。室内熱交換器ユニット５の室内熱交換器５０は、逆Ｖ字型の形状を有しており下方が開口しているため、室内熱交換器ユニット５は、クロスフローファン７１や室内ファンモータ７２が取り付けられた状態の下部ユニット７に上方から被せられ、熱交換器支持部材５２を介して下部ユニット７に支持される。
【００３２】
〈室内熱交換器〉
図５に室内機２の側面断面図を示す。室内熱交換器５０は、クロスフローファン７１の前方、上方および後方を取り囲むように取り付けられており、クロスフローファン７１が回転することにより吸込み口６０１，６１１から吸い込まれた空気をクロスフローファン７１側に通過させ、伝熱管の内部を通過する冷媒との間で熱交換を行わせる。室内熱交換器５０は、第１室内熱交換部５０ａ、第２室内熱交換部５０ｂ、第３室内熱交換部５０ｃ、第４室内熱交換部５０ｄの４つの部分に分割されている。室内熱交換器５０は、各室内熱交換部５０ａ，５０ｂ，５０ｃ，５０ｄがそれぞれ接合されることにより、側面視において両端が下方に向けて屈曲する概ね逆Ｖ字型の断面形状を有するように形成されている。
【００３３】
各室内熱交換部５０ａ，５０ｂ，５０ｃ，５０ｄは、それぞれ水平方向に長い板状の形状を有している。各室内熱交換部５０ａ，５０ｂ，５０ｃ，５０ｄは、両側端で複数回折り返されてなる伝熱管と、伝熱管が挿通される短冊状の複数のフィンとから構成されている。伝熱管は、各室内熱交換部５０ａ，５０ｂ，５０ｃ，５０ｄの両側端においてＵ字型伝熱管によって折り返されている。
【００３４】
第１室内熱交換部５０ａは、上端が室内機２の前方へ向けて傾斜しており、クロスフローファン７１の中央上方から後側上方を覆うように配置されている。
【００３５】
第２室内熱交換部５０ｂは、上端が室内機２の後方へ向けて傾斜しており、第１室内熱交換部５０ａの前方に配置されている。第２室内熱交換部５０ｂの上端は、第１室内熱交換部５０ａの上端と接合されており、第１室内熱交換部５０ａと第２室内熱交換部５０ｂとは、側面視において逆Ｖ字型になるように組み合わされている。第２室内熱交換部５０ｂは、クロスフローファン７１の中央上方から前側上方を覆うように配置されている。
【００３６】
第３室内熱交換部５０ｃは、第２室内熱交換部５０ｂの下方にクロスフローファン７１の前方を覆うように配置されている。第３室内熱交換部５０ｃの上端は第２室内熱交換部５０ｂの下端に角度を付けて接合されており、第３室内熱交換部５０ｃと第２室内熱交換部５０ｂとによって鈍角が形成されている。第３室内熱交換部５０ｃは、高さ方向、すなわち鉛直方向に平行になっており、室内熱交換器５０の下方の水平面を覆う下部ユニット７に対して垂直になっている。また、第３室内熱交換部５０ｃの下端は室内熱交換器５０の下端となっており、第３室内熱交換部５０ｃの下端、すなわち室内熱交換器５０の前側の下端は、クロスフローファン７１の中心軸と略同じ高さに位置している。
【００３７】
第４室内熱交換部５０ｄは、第１室内熱交換部５０ａの下方にクロスフローファン７１の後方を覆うように配置されている。第４室内熱交換部５０ｄの上端は、第１室内熱交換部５０ａの下端に角度を付けて接合されており、第４室内熱交換部５０ｄと第１室内熱交換部５０ａとによって鈍角が形成されている。第４室内熱交換部５０ｄは、高さ方向に平行になっており、室内熱交換器５０の下方の水平面を覆う下部ユニット７に対して垂直になっている。また、第４室内熱交換部５０ｄの下端は、室内熱交換器５０の後側の下端となっており、第４室内熱交換部５０ｄの下端、すなわち室内熱交換器５０の後側の下端は、クロスフローファン７１の中心軸と略同じ高さに位置している。
【００３８】
第３室内熱交換部５０ｃと第４室内熱交換部５０ｄとは高さ方向に同じ長さを有しており、第３室内熱交換部５０ｃと第４室内熱交換部５０ｄとの上端および下端は同じ高さに位置している。従って、室内熱交換器５０の前側の下端と後側の下端とは同じ高さになっており、クロスフローファン７１の中心軸と略同じ高さに位置している。また、室内熱交換器５０の前側下端と後側下端とは、逆Ｖ字型の部分の前後の下端から鉛直方向下向きにクロスフローファン７１の中心軸と略同じ高さまで伸びている。
【００３９】
第１室内熱交換部５０ａ、第２室内熱交換部５０ｂ、第３室内熱交換部５０ｃおよび第４室内熱交換部５０ｄは、それぞれ両側端（正面視における左右方向の端）に設けられた固定板によって相互に固定されることにより、一体に接合されて室内熱交換器５０を形成している。室内熱交換器５０は、第１室内熱交換部５０ａと第２室内熱交換部５０ｂとによって形成される逆Ｖ字型の部分と、第１室内熱交換部５０ａと第２室内熱交換部５０ｂとのそれぞれの下端から鉛直方向下向きに延びる直線部分とが組合された断面形状を有している。室内熱交換器５０は、逆Ｖ字型の頂点を通る鉛直方向に平行な直線について前後に線対称な断面形状を有しており、第１室内熱交換部５０ａと第２室内熱交換部５０ｂとが、また、第３室内熱交換部５０ｃと第４室内熱交換部５０ｄとが、それぞれ前後に対称になっている。なお、室内熱交換器５０は、側面視においては上記のように前後対称な逆Ｖ字型を含む断面形状に形成されているが、正面視においては横方向に長い形状を有している。
【００４０】
〈室内補助冷媒配管〉
室内補助冷媒配管である室内補助冷媒液配管５１ａおよび室内補助冷媒ガス配管５１ｂは、室内熱交換器５０と、連絡集合管４の冷媒液配管４１および冷媒ガス配管４２とを結ぶ役割を果たし、室内熱交換器５０と室外熱交換器３０との間を行き来する冷媒が流れる。室内補助冷媒液配管５１ａおよび室内補助冷媒ガス配管５１ｂは、図４に示すように、室内熱交換器５０の側面から突出する伝熱管に接続される。室内補助冷媒液配管５１ａおよび室内補助冷媒ガス配管５１ｂは、室内熱交換器５０の右側面から突出して、室内熱交換器５０の右側の空間で取り回される。また、室内補助冷媒液配管５１ａおよび室内補助冷媒ガス配管５１ｂは、室内熱交換器５０の右側面から突出した後に室内機２の後方へ向けて屈曲され（図９参照）、室内熱交換器５０の右側の空間を室内機２の背面に沿って下方へと伸び、室内機２の後側下部の空間で室内機２の左側面に向けてさらに屈曲され、配管収容空間Ｓ１（後述）を通って冷媒液配管４１および冷媒ガス配管４２に接続される。
【００４１】
なお、ここでいう「右」や「左」とは、室内機２の正面視における右や左を意味しており、以下同様である。
【００４２】
〈熱交換器支持部材〉
熱交換器支持部材５２は、室内熱交換器５０の両側面付近に設けられており、図４に示すように、室内熱交換器５０を内側から支持すると共に、室内ファンモータ７２を覆い、室内補助冷媒液配管５１ａおよび室内補助冷媒ガス配管５１ｂを固定している。熱交換器支持部材５２は、室内熱交換器５０の右側面付近に設けられており、側板５４とモータカバー５５と配管固定部材５６とを有している。
【００４３】
側板５４は、室内熱交換器５０の逆Ｖ字型に沿った形状を有する板状の部分であり、室内熱交換器５０を内側から支持している。
【００４４】
モータカバー５５は、室内ファンモータ７２の上半分を覆っている。モータカバー５５は、円弧状に湾曲する曲面形状を一部に有しており、側板５４から室内熱交換器５０の側方へと突出している。モータカバー５５は、室内ファンモータ７２の円周面の上半分と対向しており、室内ファンモータ７２の上方を覆っている。
【００４５】
なお、室内熱交換器５０の右側面からは室内補助冷媒配管５１ａ，５１ｂが外方へ延びており、モータカバー５５は室内補助冷媒配管５１ａ，５１ｂの下方空間に位置している。モータカバー５５は、室内補助冷媒配管５１ａ，５１ｂから滴下したドレン水がドレンパン８０（図６参照）へと流れるように形成されており、ドレン水から室内ファンモータ７２を保護している。
【００４６】
配管固定部材５６は、室内補助冷媒配管５１ａ，５１ｂの変形を抑えるために、室内補助冷媒配管５１ａ，５１ｂを固定する。配管固定部材５６は、室内熱交換器５０の側方空間で取り回されている室内補助冷媒配管５１ａ，５１ｂの一部においてその全周を覆うことによって、室内補助冷媒配管５１ａ，５１ｂを固定する。配管固定部材５６は、第１配管固定部材５７と第２配管固定部材５８とを有している。第１配管固定部材５７は、側板５４に一体化されており、室内補助冷媒配管５１ａ，５１ｂの側方を覆うことによって、室内補助冷媒配管５１ａ，５１ｂの側方への移動を規制する。第２配管固定部材５８は、室内補助冷媒配管５１ａ，５１ｂを挟んで第１配管固定部材５７の反対側から室内補助冷媒配管５１ａ，５１ｂを固定する。第２配管固定部材５８は、第１配管固定部材５７とは別体に形成されており、第１配管固定部材５７に取り付けられる。
【００４７】
［上部ケーシング］
上部ケーシング６は、図３および図５に示すように、室内機２の上部を構成しており、上前面部６０、天面部６１および上側面部６２，６３によって構成されている。
【００４８】
上前面部６０は、室内機２の前側上部に配置され、室内熱交換器５０の前方を覆っている。上前面部６０は、概ね平坦に形成されており、その一部に段差が設けられている。この段差の上面には室内機２の長手方向に長いスリット状の開口からなる前面吸込み口６０１が設けられている。前面吸込み口６０１は室内機２の上方へ向けて設けられている。
【００４９】
天面部６１は、室内機２の天面に配置され、室内熱交換器５０の上方を覆っている。天面部６１には、複数のスリット状の開口からなる天面吸込み口６１１が設けられている。この天面吸込み口６１１は、天面部６１の前側から後側にかけて設けられており、前面吸込み口６０１よりも吸い込み面積が大きくなっている。このため、室内機２の天面後側からも十分に空気が吸い込まれるようになっている。
【００５０】
上側面部６２，６３は、室内機２の側面上部に配置され、室内熱交換器５０の側方を覆っている。上側面部６２，６３には、右上側面部６２と左上側面部６３とがあり、右上側面部６２は正面視において室内熱交換器５０の右側方に配置され、左上側面部６３は室内熱交換器５０の左側方に配置されている。
【００５１】
また、上部ケーシング６の下端は水平に形成されており、上部ケーシング６が下部ユニット７に被せられることによって、上部ケーシング６と下部ユニット７との境界が水平線となって室内機２の正面視および側面視における外観に現れる。
【００５２】
［下部ユニット］
下部ユニット７は、室内機２の下部を構成しており、図４に示すように、下部ケーシング７０、クロスフローファン７１、室内ファンモータ７２、電装品箱７３（図８参照）等がモジュール化されて構成されている。
【００５３】
〈下部ケーシング〉
下部ケーシング７０は、図３および図５に示すように、下前面部７４、底面部７５、下側面部７６，７７、支持部７８等によって構成されている。
【００５４】
下前面部７４は、正面視において室内機２の前面下部として視野に現れる部分であり、上端が室内機２の前側に傾斜するように配置されている。図３（ａ）に示すように、下前面部７４の上端は水平に形成されており、上部ケーシング６の下端と共に水平な境界線を構成している。また、下前面部７４には、室内機２の長手方向に沿う開口からなる吹出し口７４１が設けられている。この吹出し口７４１は、図５に示すように、クロスフローファン７１が収納されている支持部７８の内部の空間に連通しており、クロスフローファン７１によって生成された空気流は吹出し口７４１を通って室内へと吹き出す。また、吹出し口７４１には、室内へと吹出す空気が案内される水平フラップ７４２が設けられている。この水平フラップ７４２は、室内機２の長手方向に平行な軸を中心に回動自在に設けられており、フラップモータ（図示せず）によって回転駆動されることにより、吹出し口７４１の開閉を行うことができる。
【００５５】
底面部７５は、室内機２の底面に配置され、平坦に形成されている。底面部７５は、水平に配置されており、その上に支持部７８が形成されている。底面部７５の背面側の上方には、後述するドレンホース８５や室内補助冷媒配管５１ａ，５１ｂが収容される配管収容空間Ｓ１が設けられており、底面部７５のうち配管収容空間Ｓ１に面する部分には、複数のリブ８９ａ〜８９ｄから成るホース支持部８９が形成されている。複数のリブ８９ａ〜８９ｄは、図９に示すように、左右方向すなわちドレンホース８５の長手方向に並んで設けられており、ドレンホース８５の下面を下方から支持する。複数のリブ８９ａ〜８９ｄは、ドレン水の下流側（図９の右側）に配置されるものほどドレンホース８５を支持する高さが低くなるように形成されている。すなわち、複数のリブ８９ａ〜８９ｄは、ドレン水の流れの上流側から下流側に向けて適当な間隔で配置され、下流側にいくほど高さが低くなっている。このような複数のリブ８９ａ〜８９ｄの上にドレンホース８５を置くことで、ドレンホース８５は下流側にいくほど連続的に傾斜した状態が保持される。具体的には、リブ８９ａの高さが約１０ｍｍ、リブ８９ｄの高さが約７ｍｍであり、ドレンホース８５の勾配は約１°が確保される。
【００５６】
下側面部７６，７７は、側面視において室内機２の側面下部として視野に現れる部分であり、室内機２の側面下部に配置されている。下側面部７６，７７には、右下側面部７６と左下側面部７７とがあり、右下側面部７６は正面視において室内機２の右側に配置され、左下側面部７７は室内熱交換器５０の左側に配置されている。また、下側面部７６，７７の上端は、下前面部７４と同様に水平に形成されている。上部ケーシング６が下部ユニット７に被せられた状態では、上部ケーシング６の下端と、下部ユニット７の下前面部７４および下側面部７６，７７の上端が合致して、水平な境界線が構成される。
【００５７】
支持部７８は、下前面部７４、底面部７５、下側面部７６，７７に囲まれており、内部が空気断熱室Ｓ２となっている（図５参照）。支持部７８の上面は、下前面部７４および下側面部７６，７７の上端より上方に位置している。支持部７８には、上方からクロスフローファン７１、室内ファンモータ７２、電装品箱７３、室内熱交換器ユニット５等が取り付けられ、クロスフローファン７１、室内ファンモータ７２、電装品箱７３、室内熱交換器ユニット５等を下方から支持する。支持部７８は、室内熱交換器ユニット５の熱交換器支持部材５２を介して室内熱交換器５０を支持する。支持部７８の上面は、クロスフローファンの中心軸と略同じ高さとなっている。
【００５８】
また、支持部７８の上面には、図６に示すように、ドレンパン８０、ファン収容部８７、ファン支持部材８８が設けられている。
【００５９】
ドレンパン８０は、熱交換時に室内熱交換器５０の表面に発生するドレン水を受ける部分であり、支持部７８の上面から下方に窪んだ凹状の部材によって形成されている。このドレンパン８０は、前ドレンパン８１、後ドレンパン８２、連通路８３を有している。
【００６０】
前ドレンパン８１は、図５に示すように、第３室内熱交換部５０ｃの下方に、すなわち室内熱交換器５０の前側下端の下方に配置されている。後ドレンパン８２は、第４室内熱交換部５０ｄ、すなわち室内熱交換器５０の後側下端の下方に配置されている。前ドレンパン８１と後ドレンパン８２とは、クロスフローファン７１を挟んで前後に配置されている。前ドレンパン８１と後ドレンパン８２とは、略同じ高さに位置しており、前ドレンパン８１と後ドレンパン８２との底面はクロスフローファン７１の中心軸の高さよりも低い位置にあり、室内熱交換器５０の下端に近接して配置されている。また、前ドレンパン８１と後ドレンパン８２とは、それぞれドレン水を受ける底面が、右側が左側よりも下方に位置するように長手方向に沿って僅かに傾斜している。
【００６１】
連通路８３は、図６に示すように、支持部７８の右側部分に設けられており、前ドレンパン８１と後ドレンパン８２との各右側端のみにおいて前ドレンパン８１と後ドレンパン８２とを連通させている。すなわち、前ドレンパン８１と後ドレンパン８２とは、下方に傾斜している側のみにおいて連通している。また、支持部７８の左側部分には連通路が設けられておらず、前ドレンパン８１と後ドレンパン８２との各左側端では前ドレンパン８１と後ドレンパン８２とは連通していない。連通路８３は、室内ファンモータ７２の右側方に配置されており、上面視において、クロスフローファン７１、室内ファンモータ７２、連通路８３の順に左右方向（室内機２の長手方向）に並んで配置されている。従って、ドレンパン８０は、クロスフローファン７１および室内ファンモータ７２の前方、右側方および後方を囲むように配置されている。
【００６２】
また、連通路８３には、ドレン水を排出する排出口８４が設けられている。排出口８４は、図７示すように、連通路８３の底面から下方へと貫通しており、ドレン水をドレンパン８０から外部へと排出するためのドレンホース８５と連通している。室内熱交換器５０から滴下したドレン水は、前ドレンパン８１と後ドレンパン８２とによって受けられ、連通路８３で集められ、排出口８４からドレンホース８５およびドレンホース８５につながる連絡集合管４のドレンホース８５ａを経て室外へと排出される。ドレンホース８５は、下部ケーシング７０の背面側下方の配管収納空間Ｓ１に、室内補助冷媒配管５１ａ，５１ｂと共に収容される。室内補助冷媒配管５１ａ，５１ｂは、断熱材５１ｃにより覆われている。ドレンホース８５と室内補助冷媒配管５１ａ，５１ｂとは、図５に示すように、配管収納空間Ｓ１において側面視で上下に並んで配置されており、ドレンホース８５が最も下に位置している。室内補助冷媒配管５１ａ，５１ｂそれぞれの中心はドレンホース８５の直上の空間に位置し、ドレンホース８５の中心は室内補助冷媒配管５１ａ，５１ｂの直下の空間に位置している。すなわち、断熱材５１ｃで覆われる室内補助冷媒配管５１ａ，５１ｂと、ドレンホース８５とは、平面視において概ね重なり、正面視において殆ど重ならない状態となる。
【００６３】
ファン収容部８７は、図６に示すように、クロスフローファン７１と室内ファンモータ７２とが収容される部分であり、支持部７８の上面の中央付近に設けられている。ファン収容部８７は、図８に示すように、支持部７８の上面から下方に半円筒形状に窪んだ部材により形成されており、クロスフローファン７１と室内ファンモータ７２との下半分を収容する。また、支持部７８の内部には、収容されたクロスフローファン７１と吹出し口７４１とを連通する空気経路が設けられている。
【００６４】
ファン支持部材８８は、図６に示すように、クロスフローファン７１の左側方に配置されており、クロスフローファン７１を回転自在に支持する。ファン支持部材８８は、前ドレンパン８１と後ドレンパン８２との各左側端の間に位置しており、クロスフローファン７１の連通路８３側とは反対側に位置している。
【００６５】
また、図８に示すように、支持部７８は、後ドレンパン８２とクロスフローファン７１との間に、支持部７８の上面から上方へと突出する舌部８６を有している。この舌部８６は、クロスフローファン７１の後方を覆っており、舌部８６の上端はクロスフローファン７１の頂上部分より若干低い高さに位置している。
【００６６】
以上のように、支持部７８の上面には、前ドレンパン８１、後ドレンパン８２およびファン収容部８７が設けられ、舌部８６が上方へ突出しているが、支持部７８の上面の他の部分は概ね平坦かつ水平に形成されており、クロスフローファン７１の中心線と略同じ高さに位置している。
【００６７】
また、上記のように、支持部７８の最も高い位置にある部分は舌部８６であるが、舌部８６は、クロスフローファン７１の頂上部分の高さ以下に位置している。さらに、支持部７８の上面は、下前面部７４および下側面部７６，７７の上端より上方に位置している。このため、支持部７８を含めた下部ケーシング７０の各部分はクロスフローファン７１の頂上部分の高さ以下となっている。
【００６８】
なお、支持部７８の上面の背面側部分もクロスフローファン７１の高さ以下となっているが、上部ケーシング６の天面部６１と支持部７８の上面の背面側部分との間の部分は、室内の壁面に取り付けられる据付板８によって塞がれる（図５参照）。据付板８は、室内機２の長手方向には室内熱交換器５０と略同じ長さを有しており、室内熱交換器５０の背面側に配置されている。据付板８は、室内機２の背面に配置され、室内熱交換器５０で熱交換される空気が通る空気流路を上部ケーシング６と共に形成している。
【００６９】
〈クロスフローファン〉
クロスフローファン７１は、長細い円筒形状に構成され、中心軸が水平方向に平行になるように配置される。クロスフローファン７１の周面には羽根が設けられており、クロスフローファン７１が中心軸周りに回転することにより、空気流を生成する。この空気流は、前面吸込み口６０１および天面吸込み口６１１から取り入れられ室内熱交換器５０を通り吹出し口７４１から室内へと吹き出す空気の流れである。クロスフローファン７１は、側面視において室内機２の概ね中央に位置しており、上面視において前ドレンパン８１と後ドレンパン８２との間に配置されている。クロスフローファン７１は、支持部７８によって支持され、支持された状態のクロスフローファン７１の上半分は支持部７８の上面から上方へ突出している。
【００７０】
〈室内ファンモータ〉
室内ファンモータ７２は、クロスフローファン７１を中心軸周りに回転駆動する。室内ファンモータ７２は、クロスフローファン７１と略同じ直径を有する薄い円筒形状を有している。室内ファンモータ７２は、図６に示すように、クロスフローファン７１の右側方にクロスフローファン７１と同軸に配置されており、室内ファンモータ７２が支持部７８に取り付けられた状態では、室内ファンモータ７２とクロスフローファン７１との頂上部分との高さは略同じとなっている（図８参照）。
【００７１】
〈電装品箱〉
電装品箱７３は、図６示すように、室内機２の運転を制御するための制御基板７３１を収容する。電装品箱７３は、直方体の箱状の形状を有しており、下部ケーシング７０の右下側面部７６と支持部７８との間に配置され、室内熱交換器ユニット５の右側方に位置する。電装品箱７３は、室内ファンモータ７２の右側方において支持部７８の右側面に取り付けられて支持されており、室内熱交換器ユニット５が下部ユニット７に取り付けられる前に支持部７８に取り付けることができる。また、電装品箱７３は前側寄りに配置されており、電装品箱７３の後方の空間は前述した室内熱交換器ユニット５の室内補助冷媒配管５１ａ，５１ｂが通る空間となっている。電装品箱７３は、制御基板７３１に取り付けられた制御部品のうち容量の大きなコンデンサやパワートランジスタなどの強電部品７３２が室内ファンモータ７２と軸方向に並ぶように配置されており、側面視において室内ファンモータ７２と電装品箱７３とが重なるように配置されている。また、電装品箱７３の上面は、下部ケーシング７０に支持された状態では、室内ファンモータ７２の頂上部分、すなわちクロスフローファン７１の頂上部分と略同じ高さに位置している（図８参照）。
【００７２】
このように、室内ファンモータ７２、電装品箱７３、下部ケーシング７０の全ての部分が、下部ケーシング７０に支持された状態のクロスフローファン７１の頂上部分の高さ以下に位置しており、下部ユニット７は、全体として高さ方向に比較的寸法の小さい形状となっている。
【００７３】
＜特徴＞
（１）
この空気調和装置１の室内機２では、前ドレンパン８１と後ドレンパン８２とを連通させる連通路８３が、クロスフローファン７１と室内ファンモータ７２との右側方にのみ設けられており、左側方には設けられていない。そして、前ドレンパン８１と後ドレンパン８２との各左側端の間には、ファン支持部材８８が設けられている。このため、ファン支持部材８８が連通路８３と上下方向に重なって配置されていない。また、連通路８３は、クロスフローファン７１と室内ファンモータ７２との右側方に設けられており、連通路８３は、クロスフローファン７１と室内ファンモータ７２と上下方向に重なって配置されていない。このため、空気調和装置１の室内機２の上下方向の製品寸法が抑えられている。
【００７４】
さらに、ファン支持部材８８の左側方に前ドレンパン８１と後ドレンパン８２との左側端を連通させる連通路が設けられる場合と比べて、左右方向の製品寸法も抑えられている。
【００７５】
（２）
この空気調和装置１の室内機２では、室内補助冷媒液配管５１ａおよび室内補助冷媒ガス配管５１ｂが室内熱交換器５０の右側面から突出し、且つ右側方にのみ設けられる連通路８３の排出口８４からドレンホース８５が延びる構成となっている。そして、室内補助冷媒液配管５１ａおよび室内補助冷媒ガス配管５１ｂと、ドレンホース８５とは、室内機２の右側から、ともに室内機２の背面側下方の配管収納空間Ｓ１を通って、室内機２の左側へと導かれる（図９参照）。
【００７６】
このように、室内補助冷媒配管５１ａ，５１ｂとドレンホース８５とを室内機２の背面側の配管収納空間Ｓ１において右から左へと回さなければならない構成の室内機２において、ここでは、室内補助冷媒配管５１ａ，５１ｂとドレンホース８５とを側面視で上下に配置できるように配管収納空間Ｓ１を構成している。すなわち、配管収納空間Ｓ１を側面視において縦長の空間として、図５に示すように、断熱材５１ｃで覆われる室内補助冷媒配管５１ａ，５１ｂとドレンホース８５とを前後に並べるのではなく上下に並べることが容易に室内機２の据付施工者にわかるようにしている。
【００７７】
これにより、特許文献１（特開平１０−２４６４６２号公報）にあるような従来の空気調和装置の室内機と比べて、室内補助冷媒配管５１ａ，５１ｂとドレンホース８５とを収納するのに必要な配管収納空間Ｓ１の側面視左右方向（前後方向）の長さが小さくなっている。そして、室内機２の据付施工者にとって室内補助冷媒配管５１ａ，５１ｂとドレンホース８５との高さ方向の配置が明確となっているため、室内補助冷媒配管５１ａ，５１ｂやドレンホース８５を曲げる作業なども適切に行われるようになる。特に、室内補助冷媒配管５１ａ，５１ｂとドレンホース８５とを同じような高さ位置で曲げると室内機２の背端面から後方に何かがはみ出てしまう恐れが出てくるが、室内補助冷媒配管５１ａ，５１ｂとドレンホース８５との両者の屈曲の高さ位置が明確に違うため、据付施工者にとっては非常に施工しやすい構造である。このため、室内補助冷媒配管５１ａ，５１ｂやドレンホース８５が室内機２の背端面から後方に突出して室内の壁面に当たるような不具合が殆ど発生しない。これにより、室内機２の背面と室内の壁面との間に不要なスペースが生じて室内機２が壁面に沿った形できれいに設置されないという不具合がほぼなくなる。
【００７８】
（３）
従来の空気調和装置の室内機において背面側でドレンホースを引き回す際の施工手引きなどでは、ドレンホースに勾配をとるように指示をしている。しかし、必ず指示が守られているという保証はない。
【００７９】
ここでは、室内機２の背面側の配管収納空間Ｓ１においてドレンホース８５を室内補助冷媒配管５１ａ，５１ｂの下方に配置させ、さらに高低差のある複数のリブ８９ａ〜８９ｄでドレンホース８５の下面を支持する構成としているため、自然とドレンホース８５が上流側から下流側に向けて連続的に下向きに傾斜するようになる。このため、ドレン水の排出性が良好となり、ドレンホース８５の中にドレン水が溜まるような不具合が少なくなる。
【００８０】
＜他の実施形態＞
以上、本発明について説明したが、具体的な構成は、上記の実施の形態に限られるものではなく、発明の要旨を逸脱しない範囲で変更可能である。
【００８１】
例えば、上記実施形態では複数のリブ８９ａ〜８９ｄによりドレンホース８５の勾配を確保するような構成としているが、複数のリブ８９ａ〜８９ｄに変えて底面部７５に斜面を形成し、その斜面にドレンホース８５を押し当てるようにしてもよい。また、ドレンホース８５を吊り下げる複数の支持部材を設け、それらの支持部材によってドレンホース８５の傾斜状態を確保するようにしてもよい。
【図面の簡単な説明】
【００８２】
【図１】空気調和装置の外観図。
【図２】空気調和装置の冷媒回路図。
【図３】（ａ）空気調和装置の室内機の正面図。
【００８３】
（ｂ）空気調和装置の室内機の右側面図。
【図４】下部ユニットおよび熱交換器ユニットの外観斜視図。
【図５】空気調和装置の室内機の側面断面図（図３（ａ）のV-V矢視断面図）。
【図６】下部ユニットの上面図。
【図７】下部ユニットの側面断面図（図６のVII-VII矢視断面図）。
【図８】下部ユニットの右側面図。
【図９】下部ユニットの背面図。
【図１０】連絡集合管の断面図。
【符号の説明】
【００８４】
１    空気調和装置
２    室内機
５０    室内熱交換器（熱交換器）
５１ａ  室内補助冷媒液配管（冷媒配管）
５２ａ  室内補助冷媒ガス配管（冷媒配管）
７５    底面部（傾斜保持部材）
８５    ドレンホース
８９    ホース支持部（リブ部）
８９ａ〜８９ｄ        リブ
Ｓ１    配管収納空間（収納部）
【図１】
2005024217.tif 000003
【図２】
2005024217.tif 000004
【図３】
2005024217.tif 000005
【図４】
2005024217.tif 000006
【図５】
2005024217.tif 000007
【図６】
2005024217.tif 000008
【図７】
2005024217.tif 000009
【図８】
2005024217.tif 000010
【図９】
2005024217.tif 000011
【図１０】
2005024217.tif 000012